(57)【特許請求の範囲】
【請求項１】
ライナープレートを用いて矩形平面形状を有するように形成される環状周壁において、角部分に配置されるＬ字上面形状の角部ライナープレートを、上下に重ねて組み立てる際の組立て構造であって、  前記角部ライナープレートは、角部に配置される角部山形鋼と、上下の接合端面を形成する周方向接合フランジ部と、側端部の接合端面を形成する縦方向接合フランジ部とによって囲まれる一対の矩形枠の内側に、縦方向の断面が波形形状となるように加工された波形鋼板が一体として取り付けられた構成を備えており、  且つ前記角部ライナープレートは、前記角部山形鋼の上下の端部に、端面取付けプレートが、上面又は下面を前記周方向接合フランジ部の上面又は下面に沿わせるようにして取り付けられており、  前記角部ライナープレートを上下に重ねる際に、上段の前記角部ライナープレートの下端の周方向接合フランジ部と、下段の前記角部ライナープレートの上端の周方向接合フランジ部との間に挟み込まれる圧縮パッキング材を、前記角部ライナープレートの前記端面取付けプレートまで延設させて、上下の前記端面取付けプレートの間に挟み込んだ状態で、上下の前記角部ライナープレートがボルト接合されて組み立てられており、 前記角部山形鋼を挟んだ一方の前記周方向接合フランジ部から延設する前記圧縮パッキング材と、他方の前記周方向接合フランジ部から延設する前記圧縮パッキング材とを、前記端面取付けプレートの部分で上下に重ね合わせた状態で、前記圧縮パッキング材が上下の前記端面取付けプレートの間に挟み込まれている角部ライナープレートの組立て構造。
【請求項２】
前記端面取付けプレートは、前記角部山形鋼の上下の端部において、当該端面取付けプレートの上下方向内側の周縁部分を前記角部山形鋼の内側側面に溶接接合することによって、上面又は下面を前記周方向接合フランジ部の上面又は下面に沿わせるようにして取り付けられている請求項１記載の角部ライナープレートの組立て構造。
【請求項３】
前記圧縮パッキング材は、５０〜９９％の圧縮率を備えるパッキング材である請求項１又は２記載の角部ライナープレートの組立て構造。
【請求項４】
前記圧縮パッキング材は、ＥＰＤＭ混和物の発泡体からなる請求項３記載の角部ライナープレートの組立て構造。
【発明の詳細な説明】
【技術分野】
【０００１】
本発明は、角部ライナープレートの組立て構造に関し、特に、ライナープレートを用いて矩形平面形状を有するように形成される環状周壁において、角部分に配置されるL字平面形状の角部ライナープレートを、上下に重ねて組み立てる際の角部ライナープレートの組立て構造に関する。
【背景技術】
【０００２】
ライナープレートは、主に土木工事において、簡易な仮設の山留め壁を形成するための部材として用いられるものであり、例えば２．７〜７ｍｍ程度の厚さを有する薄い鋼板を、縦方向の断面が波形形状となるように加工して、横長矩形の正面形状を有する枠体の内側に、一体として接合することによって得られるようになっている（例えば、特許文献１、特許文献２参照）。またライナープレートは、周方向に複数連設されて、円形、長円形、矩形等の平面形状を有する環状周壁を形成できるように、円弧状、直線状、Ｌ字状等の上面形状を備える部材となっており、横長矩形の正面形状の枠体による上下の端部には、接合用の周方向フランジ部が各々設けられていると共に、左右の側端部には、接合用の縦方向接合フランジ部が各々設けられている。
【０００３】
そして、複数のライナープレートを、縦方向接合フランジ部による縦方向接合部を介して、周方向に環状に接合一体化すると共に、複数段に積み重ねて、周方向フランジ部による横方向接合部を介して上下方向に接合一体化することで、周囲の地盤からの土圧や水圧を効率良く支持する山留め壁として、所望の高さの環状周壁を、簡易に且つ容易に地中に形成できるようになっている。
【０００４】
一方、このようなライナープレートによる環状周壁を、仮設の山留め壁としてではなく、例えば建物の下方に設置される地下室の躯体として用いることで、建築コストを割高にすることなく地下室を設けることが可能になると考えられることから、土木工事のみならず、例えば住宅建築物を構築する建築工事においても、ライナープレートによる環状周壁を、地下空間を形成するための本体構造物として地中に設置することが提案されている（例えば、特許文献３参照）。
【先行技術文献】
【特許文献】
【０００５】
【特許文献１】特開２００２−２９５１７０号公報
【特許文献２】特開２０１０−６５４００号公報
【特許文献３】特開２０１２−１８０６４４号公報
【発明の概要】
【発明が解決しようとする課題】
【０００６】
しかしながら、ライナープレートによる環状周壁を地中に設置する場合、土木工事においては、環状周壁は、止水性をそれ程要求されない仮設の山留め壁として形成されるので、環状周壁の内側に水が漏れ出たとしても、これを水中ポンプ等を用いて排除することによって、容易に対処することが可能であるが、例えば建築工事において、環状周壁を、地下空間を形成するための本体構造物として用いる場合には、ライナープレートによる環状周壁の内側に水が漏れ出ないように、強固な止水性能が要求されることになる。
【０００７】
このため、複数のライナープレートを周方向や上下方向に接合一体化する際に、縦方向接合フランジ部による縦方向接合部や、周方向フランジ部による横方向接合部に、圧縮パッキング材を挟み込むことによって、強固な止水性能を確保できるようにすることが検討されているが、使用し易い形状の地下空間が得られるように、環状周壁を、矩形平面形状を有するように形成する場合には、特に角部分に配置される角部ライナープレートの部分で、強固な止水性能を確保することが困難になり易い。
【０００８】
すなわち、角部分に配置される角部ライナープレートは、L字形の上面形状を有しており、L字形の角部には、アングル材として一般に知られる、L字断面形状の公知の山形鋼が、L字の解放側を外側に向けた状態で配設されていると共に、L字形の角部ライナープレートの角部を挟んだ両側の側辺部分には、当該角部に配設された山形鋼と、上下一対の周方向フランジ部と、側端部の縦方向接合フランジ部とによる横長矩形の枠体が各々設けられていて、これらの内側に、断面が波形形状の波形鋼板が各々取り付けられた構成を備えている。したがって、L字断面形状の山形鋼が配設された角部では、上下に重ね合されるＬ字形に折れ曲った山形鋼の線状の端面の間で、圧縮パッキング材を安定した状態で挟み込むことが難しくなるため（図７（ａ）参照）、強固な止水性能を長期間に亘って確保することができなくなって、漏水を生じやすくなる。
【０００９】
本発明は、角部ライナープレートの角部に配設される山形鋼の部分で、圧縮パッキング材を安定した状態で挟み込むことを可能にして、強固な止水性能を長期間に亘って確保することのできる角部ライナープレートの組立て構造を提供することを目的とする。
【課題を解決するための手段】
【００１０】  本発明は、ライナープレートを用いて矩形平面形状を有するように形成される環状周壁において、角部分に配置されるＬ字上面形状の角部ライナープレートを、上下に重ねて組み立てる際の組立て構造であって、前記角部ライナープレートは、角部に配置される角部山形鋼と、上下の接合端面を形成する周方向接合フランジ部と、側端部の接合端面を形成する縦方向接合フランジ部とによって囲まれる一対の矩形枠の内側に、縦方向の断面が波形形状となるように加工された波形鋼板が一体として取り付けられた構成を備えており、且つ前記角部ライナープレートは、前記角部山形鋼の上下の端部に、端面取付けプレートが、上面又は下面を前記周方向接合フランジ部の上面又は下面に沿わせるようにして取り付けられており、前記角部ライナープレートを上下に重ねる際に、上段の前記角部ライナープレートの下端の周方向接合フランジ部と、下段の前記角部ライナープレートの上端の周方向接合フランジ部との間に挟み込まれる圧縮パッキング材を、前記角部ライナープレートの前記端面取付けプレートまで延設させて、上下の前記端面取付けプレートの間に挟み込んだ状態で、上下の前記角部ライナープレートがボルト接合されて組み立てられており、前記角部山形鋼を挟んだ一方の前記周方向接合フランジ部から延設する前記圧縮パッキング材と、他方の前記周方向接合フランジ部から延設する前記圧縮パッキング材とを、前記端面取付けプレートの部分で上下に重ね合わせた状態で、前記圧縮パッキング材が上下の前記端面取付けプレートの間に挟み込まれている角部ライナープレートの組立て構造を提供することにより、上記目的を達成したものである。【００１１】
ここで、端面取付けプレートの上面又は下面を周方向接合フランジ部の上面又は下面に沿わせるとは、端面取付けプレートの上面又は下面が、周方向接合フランジ部の上面又は下面と面一に配置されている状態の他、端面取付けプレートまで延設させた圧縮パッキング材を、上下の端面取付けプレートの間に効果的に挟み込むことができる範囲で、端面取付けプレートの上面又は下面が、周方向接合フランジ部の上面又は下面と上下に僅かにずれて配置されている状態も含まれる。
【００１２】
そして、本発明の角部ライナープレートの組立て構造は、前記端面取付けプレートが、前記角部山形鋼の上下の端部において、当該端面取付けプレートの上下方向内側の周縁部分を前記角部山形鋼の内側側面に溶接接合することによって、上面又は下面を前記周方向接合フランジ部の上面又は下面に沿わせるようにして取り付けられていることが好ましい。
【００１３】
また、本発明の角部ライナープレートの組立て構造は、前記圧縮パッキング材が、５０〜９９％の圧縮率を備えるパッキング材であることが好ましい。
【００１４】
さらに、本発明の角部ライナープレートの組立て構造は、前記圧縮パッキング材が、ＥＰＤＭ（エチレンプロピレンゴム）混和物の発泡体からなることが好ましい。
【発明の効果】
【００１６】
本発明の角部ライナープレートの組立て構造によれば、角部ライナープレートの角部に配設される山形鋼の部分に端面取付けプレートが配設されるため、圧縮パッキング材を押圧する面積を増大させて、安定した状態で挟み込むことを可能にして、強固な止水性能を長期間に亘って確保することができる。
【図面の簡単な説明】
【００１７】
【図１】本発明の好ましい一実施形態に係る組立て構造によって角部ライナープレートを組立てて形成された環状周壁を、基礎部及び周囲の地山を除いた状態で示す斜視図である。
【図２】角部ライナープレートによる環状周壁を用いて形成される地下室の構成を説明する略示部分断面図である。
【図３】本発明の好ましい一実施形態に係る角部ライナープレートの組立て構造を説明する分解斜視図である。
【図４】直線部ライナープレートの斜視図である。
【図５】角部ライナープレートを内側から見た斜視図である。
【図６】（ａ）は端面取付けプレートの平面図、（ｂ）は、端面取付けプレートの取付け状態を説明する図３のＡ部をＢ方向から見た部分側面図、（ｃ）はＣ方向から見た部分下面図である。
【図７】上下の角部ライナープレートの角部山形鋼の間で圧縮パッキング材を挟み込む状態を説明する、（ａ）は従来技術の要部上面図、（ｂ）は本実施形態の要部上面図である。
【発明を実施するための形態】
【００１８】
本発明の好ましい一実施形態に係る角部ライナープレートの組立て構造１０は、図１及び図２に示すように、建物として例えば住宅建築物を構築するための建築工事において、住宅建築物の基礎３０の下方に地下室３１（図２参照）を、複数のライナープレート１２，１３を組み立ててなる矩形平面形状を有する環状周壁１１（図１参照）を用いて形成する際に、特に環状周壁１１の角部に配置される角部ライナープレート１３を、強固な止水性能を保持した状態で、上下に積み重ねて複数段に接合一体化できるようにするための組立て構造として採用されたものである。
【００１９】
また、本実施形態では、矩形平面形状を有する環状周壁１１は、コンクリート製の地下室用底盤３２（図２参照）の上に、複数のライナープレート１２，１３を、３段に積み重ねることで組み立てられていると共に、組み立てられた環状周壁１１を外型枠として、これの内側にコンクリートを打設することによって、所定の厚さの地下室用側壁３３が、地下空間を形成するための本体構造物として地中に形成されている。さらに、形成された地下室用側壁３３の上方には、住宅建築物の基礎３０が、連続して形成されるようになっている。
【００２０】  そして、本実施形態の角部ライナープレートの組立て構造１０は、図１に示すように、ライナープレート１２，１３を用いて矩形平面形状を有するように形成される環状周壁１１において、角部分に配置されるＬ字上面形状の角部ライナープレート１３を、上下に重ねて組み立てる際の組立て構造であって、図３に示すように、角部ライナープレート１３は、角部に配置される角部山形鋼１４と、上下の接合端面を形成する周方向接合フランジ部１５と、側端部の接合端面を形成する縦方向接合フランジ部１６とによって囲まれる一対の矩形枠１７の内側に、縦方向の断面が波形形状となるように加工された波形鋼板１８が一体として取り付けられた構成を備えている。角部ライナープレート１３は、角部山形鋼１４の上下の端部に、端面取付けプレート１９が、上面又は下面を周方向接合フランジ部１５の上面又は下面に沿わせるようにして取り付けられており、角部ライナープレート１３を上下に重ねる際に、上段の角部ライナープレート１３の下端の周方向接合フランジ部１５と、下段の角部ライナープレート１３の上端の周方向接合フランジ部１５との間に挟み込まれる圧縮パッキング材２０を、角部ライナープレート１３の端面取付けプレート１９まで延設させて、上下の端面取付けプレート１９の間に挟み込んだ状態で、上下の角部ライナープレート１３がボルト接合されて組み立てられている。角部山形鋼１４を挟んだ一方の周方向接合フランジ部１５から延設する圧縮パッキング材２０と、他方の周方向接合フランジ部１５から延設する圧縮パッキング材２０とを、端面取付けプレート１９の部分で上下に重ね合わせた状態で、圧縮パッキング材２０が上下の端面取付けプレート１９の間に挟み込まれている（図７（ｂ）参照）。
【００２１】
環状周壁１１を形成するライナープレート１２，１３は、例えば主に土木工事において用いる簡易な山留め材料であり、本実施形態では、矩形平面形状を有する環状周壁１１を形成できるように、直線状の上面形状を備える複数の公知の直線部ライナープレート１２と、公知のものに上述の改良を加えた、Ｌ字状の上面形状を備える複数の角部ライナープレート１３とが用いられている。直線部ライナープレート１２は、図４に示すように、例えば２．７〜７ｍｍ程度の厚さを有する薄い鋼板を、縦方向の断面が波形形状となるように加工して形成された波形鋼板１２ａを、上下の端部の接合用の周方向接合フランジ部１２ｂと、左右の側端部の接合用の縦方向接合フランジ部１２ｃとによる横長矩形の正面形状を有する枠体１２ｄの内側に、一体として接合することによって得られたものとなっている。周方向接合フランジ部１２ｂと、縦方向接合フランジ部１２ｃには、長さ方向に所定のピッチで、複数のボルト締着孔２３ａ，２３ｂが開口形成されている。
【００２２】
本実施形態では、環状周壁１１は、図１に示すように、矩形平面形状の４箇所の角部に角部ライナープレート１３を各々配置すると共に、隣接する角部ライナープレート１３の間の４箇所の辺部に、各々２枚づつ直線部ライナープレート１２を配置して組み立てた単位環状壁１１ａを、上下に３段に重ね合わせることによって、所定の高さを備えるように形成される。
【００２３】
また、本実施形態では、形成された環状周壁１１に、強固な止水性能を長期間に亘って保持できるように、直線部ライナープレート１２の周方向接合フランジ部１２ｂや、角部ライナープレート１３の周方向接合フランジ部１５による横方向接合部２２は、これらの接合フランジ部１２ｂ，１５の間に圧縮パッキング材２０（図３参照）を挟み込んだ状態でボルト接合されると共に、直線部ライナープレート１２の縦方向接合フランジ部１２ｃや、角部ライナープレート１３の縦方向接合フランジ部１６による縦方向接合部２１も同様に、これらの接合フランジ部１２ｃ，１６の間に圧縮パッキング材２０を挟み込んだ状態でボルト接合されることによって、直線部ライナープレート１２や角部ライナープレート１３が、上下方向、及び周方向に一体として接合されている。
【００２４】
そして、本実施形態の角部ライナープレートの組立て構造１０は、上下に重ね合される角部分の角部ライナープレート１３の周方向接合フランジ部１５による横方向接合部２２において、上段の角部ライナープレート１３の下端の周方向接合フランジ部１５と、下段の角部ライナープレート１３の上端の周方向接合フランジ部１５との間に、角部山形鋼１４が設けられた部分を含めて、圧縮パッキング材２０を安定した状態で挟み込むことを可能にして、地中に設置された環状周壁１１や地下用側壁３３が、地下水等の水を地下室３１に漏水させないようにする強固な止水性能を、長期間に亘って効果的に発揮できるようにする機能を備えている。
【００２５】
すなわち、本実施形態の角部ライナープレートの組立て構造１０では、図３及び図５に示すように、角部ライナープレート１３は、角部に配置される、例えばＬ-７５×７５×６×５００のアングル材からなる角部山形鋼１４と、上下の接合端面を形成する、帯板形状の鋼製プレートからなる周方向接合フランジ部１５と、側端部の接合端面を形成する、帯板形状の鋼製プレートからなる縦方向接合フランジ部１６とによって形成される、角部山形鋼１４を挟んだ両側の一対の矩形枠１７の内側に、縦方向の断面が波形形状となるように加工された、例えば２．７ｍｍの厚さの薄い鋼板からなる波形鋼板１８を、一体として取り付けた鋼製部材となっている。接合用の周方向フランジ部１５と、接合用の縦方向接合フランジ部１６には、長さ方向に所定のピッチで、複数のボルト締着孔２３ａ，２３ｂが開口形成されている。
【００２６】
また、角部ライナープレート１３の角部山形鋼１４の上下の端部には、端面取付けプレート１９が、上面又は下面を周方向接合フランジ部１５の上面又は下面に沿わせるようにして、これらが面一になるように取り付けられている。本実施形態では、端面取付けプレート１９は、図６（ａ）〜（ｃ）に示すように、例えば厚さが６ｍｍ程度の鋼製プレートからなる、略直角三角形の平面形状を有するプレート片となっている。端面取付プレート１９は、好ましくは、角部山形鋼１４の上下の端部において、当該端面取付プレート１９の上下方向内側の周縁部分を、角部山形鋼１４のＬ字断面の内側側面に溶接接合２４することによって、上面又は下面を、周方向接合フランジ部１５の上面又は下面に面一に沿わせるようにして取り付けられている。
【００２７】
本実施形態では、直線部ライナープレート１２や角部ライナープレート１３の、縦方向接合フランジ部１２ｃ，１６による縦方向接合部２１や、周方向フランジ部１２ｂ，１５による横方向接合部２２に挟み込まれる圧縮パッキング材２０は、圧縮された状態で隙間を埋めることで、強固な止水性能を発揮する防水テープとして公知の各種の止水用のパッキング材を使用することができる。このような圧縮パッキング材２０としては、５０〜９９％の圧縮率を備えるパッキング材を用いることが好ましい。圧縮パッキング材２０がこのような圧縮率を備えることで、より高い止水効果を得ることが可能になる。また縦方向接合部２１や横方向接合部２２に、圧縮側のひずみや引張側のひずみが出たとしても、これらのひずみに追従して、高い止水効果を維持することが可能になる。特に、圧縮量を５０〜７０％に調整して、縦方向接合部２１や横方向接合部２２に挟み込んで取り付けることにより、さらに高い止水効果を維持することが可能になる。
【００２８】
圧縮パッキング材２０は、好ましくはＥＰＤＭ（エチレンプロピレンゴム）混和物の発泡体からなるものを用いることができる。ＥＰＤＭ混和物の発泡体は、耐候性や水密性に優れていることから、縦方向接合部２１や横方向接合部２２の耐候性や水密性を向上させることが可能になると共に、ウレタンやポリエチレンからなる発泡止水材と比較して、耐熱性に優れている。ＥＰＤＭ混和物の発泡体からなる圧縮パッキング材２０としては、例えば商品名「エプトシーラー」（日東電工株式会社製）を使用することができ、例えば圧縮前の厚さが１０ｍｍのものを用いることができる。
【００２９】
そして、本実施形態では、角部ライナープレート１３を上下に積み重ねる際に、図３に示すように、上段の角部ライナープレート１３の下端の周方向接合フランジ部１５と、下段の角部ライナープレート１３の上端の周方向接合フランジ部１５との間に挟み込まれる圧縮パッキング材２０を、角部ライナープレート１３の端面取付けプレート１９まで延設させて、上下の端面取付けプレート１９の間に挟み込んだ状態で、上下の角部ライナープレート１３がボルト接合されて組み立てられることになる。
【００３０】  これによって、図７（ａ）に示すように、従来の角部ライナープレートによれば、当該角部ライナープレートのＬ字形の角部には、公知のＬ字断面形状の角部山形鋼５０が配設されていたことから、上下に重ね合される角部ライナープレートの角部で圧縮パッキング材５１を挟み込む際に、線状にＬ字に折れ曲った角部山形鋼５０における、両側に張り出す一対の辺部５０ａの細幅状の端面の間で、各々圧縮パッキング材５１を上下に挟み込むことになると共に、角部山形鋼５０を挟んだ一方の周方向接合フランジ部５２から延設する圧縮パッキング材５１と、他方の周方向接合フランジ部５２から延設する圧縮パッキング材５１とを、角部山形鋼５０角部分で僅かに重ね合わせた状態でしか挟み込むことができなかったのに対して、本実施形態によれば、角部ライナープレート１３の角部山形鋼１４の上下の端部に、端面取付けプレート１９が、上面又は下面を周方向接合フランジ部１５の上面又は下面に面一に沿わせるようにして取り付けられているので、図５（ｂ）に示すように、角部ライナープレート１３の角部で圧縮パッキング材２０を挟み込む際に、上下に重ね合される、線状にＬ字形に折れ曲った角部山形鋼１４の両側の一対の辺部の細幅状の端面のみならず、端面取付けプレート１９の間において、広い押圧面積で圧縮パッキング材２０を面状に挟み込むことが可能になると共に、角部山形鋼１４を挟んだ一方の周方向接合フランジ部１５から延設する圧縮パッキング材２０と、他方の周方向接合フランジ部１５から延設する圧縮パッキング材２０とを、端面取付プレート１９の間で上下に重ね合わせることによって連続させた状態で、且つ安定した状態で挟み込むことが可能になる。
【００３１】
したがって、本実施形態によれば、角部ライナープレート１３を上下に積み重ねて組み立てる際に、角部ライナープレート１３の角部に配設される角部山形鋼１４の部分においても、圧縮パッキング材２０を安定した状態で挟み込むことが可能になるので、ライナープレート１２，１３を用いて好ましくは本体構造物として形成される環状周壁１１や地下側壁部３３に、強固な止水性能を長期に亘って効果的に付与することが可能になる。
【００３２】
なお、本発明は上記実施形態に限定されることなく種々の変更が可能である。例えば、本発明は、住宅建築物等の建物を構築する建築工事で地下室を形成する場合に限定されることなく、例えば土木工事において、角部ライナープレートを用いて仮設の山留め壁等を形成する際にも採用することができる。また、端面取付けプレートは、略直角三角形の平面形状を有するプレート片となっている必要は必ずしも無く、例えば略４角形や略４半円形の平面形状を有するプレート片となっていても良い。さらに、上下に複数段に積み重ねられるライナープレートは、上下に隣接するライナープレートの間で縦方向接合フランジ部の位置をずらした状態で、いわゆる千鳥状に配置されて環状周壁を形成するようになっていても良い。
【符号の説明】
【００３３】
１０  角部ライナープレートの組立て構造
１１  環状周壁
１１ａ  単位環状壁
１２  直線部ライナープレート
１２ａ  波形鋼板
１２ｂ  周方向接合フランジ部
１２ｃ  縦方向接合フランジ部
１２ｄ  矩形枠
１３  角部ライナープレート
１４  角部山形鋼
１５  周方向接合フランジ部
１６  縦方向接合フランジ部
１７  矩形枠
１８  波形鋼板
１９  端面取付けプレート
２０  圧縮パッキング材
２１  縦方向接合部
２２  横方向接合部
２３ａ，２３ｂ  ボルト締着孔
【図１】
0006005611.tif 000002
【図２】
0006005611.tif 000003
【図３】
0006005611.tif 000004
【図４】
0006005611.tif 000005
【図５】
0006005611.tif 000006
【図６】
0006005611.tif 000007
【図７】
0006005611.tif 000008